(57)【特許請求の範囲】
【請求項１】
空間部に吊り張りするネット又はシート体の上端側に連結ロープを連結し、該連結ロープに前記ネット又はシート体の対向する方向に吊り張りした側面ロープを連結し、前記連結ロープに連結具を介して少なくとも１以上の上方ロープを所望の間隔でスライド自在に連結した後、ウインチで側面ロープを調整移動しながらネット又はシート体を直線状に緊張した状態で吊り張りし、その後ウインチで上方ロープを調整移動しながら連結ロープへの取り付け位置を引っ張り方向に応じてスライド調整することでネット又はシート体を空間部の形状に応じて吊り張りすることを特徴とするウインチを用いたネット又はシート体の吊り張り移動システム。
【請求項２】
空間部に吊り張りするネット又はシート体の対向する方向で一端側を側壁に固定し側面ロープを前記ネット又はシート体の上方側に吊り張りし、前記側面ロープに連結具を介してスライド自在に少なくとも１以上の上方ロープを連結した後、ウインチで側面ロープを調整移動しながらネット又はシート体を直線状に吊り張りし、その後前記側面ロープに連結した上方ロープをウインチで調整移動しながら側面ロープに沿ってスライド調整してネット又はシート体を空間部の形状に応じて吊り張りすることを特徴とするウインチを用いたネット又はシート体の吊り張り移動システム。
【発明の詳細な説明】
【技術分野】
【０００１】本発明は、例えば、球技用の屋内外の施設の防球用のネット又はシートを緊張した状態で吊り張りするのに使用するウインチを用いたネット又はシートの吊り張り移動システムに関するものである。
【技術の背景】
【０００２】従来、屋内の空間部に緊張状態で吊り張りする防球用のネットは、空間部に沿って形成されたネット体（又はシート体）と、該ネット体の上部両端側にそれぞれ連結した２本の側面ロープ（本発明においてロープとは、ワイヤロープや最新の樹脂製ロープ等のネットの重量に対応可能なロープの総称として記載する）と、該ネット体の所望の上端位置に連結した少なくとも１本の上方ロープと、各ロープを調整移動（本発明で調整移動とはロープの巻回されたドラムよりの巻き取り／引き出し移動を示す）するウインチ（側面用のウインチ、上方用のウインチ）から構成されている。
【０００３】上記システムを利用してネット体を空間部に緊張状態で吊り張りする場合は、先ず側面ウインチを用いてそれぞれ側面ロープを巻き取り移動することでネット体の両上端側を対向する方向に引っ張り移動してネット体を直線状に吊り張りする。
【０００４】次に、上方用のウインチを用いてネット体の上端部に連結した少なくとも１以上の上方ロープを巻き取り移動することで、ネット体を空間部の形状に応じて所望の方向に引っ張る。
【０００５】その後、側面ロープと上方ロープとを調整移動しながらネット体を空間部に沿って吊り張り移動する。
【０００６】特に、曲面部分を有する観客席と競技用フィールド面とを防球用として吊り張りする場合は、上方ロープでネット体を観客席側に引っ張り、ネット体の下端側を固定することでネット体を吊り張りする。
【０００７】即ち、先ず側面ロープを所望量の巻き取り移動することで、ネット体を空間部の上部側に直線状に吊り張りし、その後上方ロープを巻き取り移動することでネット体を後方下方側に引っ張り移動してネット体を空間部に沿って位置する。この際、上方ロープのネット体への連結する本数、及びその取り付ける間隔により曲面状に吊り張りすることができる。
【発明が解決しようとする課題】
【０００８】しかしながら、上記従来の防球用のネットは、ネット体を空間部の形状に応じて吊り張りするために側面ロープと上方ロープとを調整移動しながら吊り張りしなければ各ロープの破損等は発生するが、各ロープの調整移動にはロープの伸縮やネット体の荷重等を考慮する必要があり、職人による勘と経験を必要とし、だれでもが容易にできる作業ではない。
【０００９】また、ネット体に取り付ける上方ロープの連結位置、及び上方ロープの本数の決定も上記と同様に、空間部の形状及びネット体の荷重等を考慮する必要があり
職人による勘と豊富な経験を必要とする。
【００１０】そこで、本発明は上記問題点を解決し、側面ロープと上方ロープとの調整移動が容易で、且つ曲面部分に応じてネット体を容易に吊り張りできるウインチを用いたネット又はシートの吊り張り移動システムを提供することを課題とする。
【課題を解決するための手段】
【００１１】上記課題を解決するために、請求項１は、空間部に吊り張りするネット又はシート体の上端側に連結ロープを連結し、該連結ロープに前記ネット又はシート体の対向する方向に吊り張りした側面ロープを連結し、前記連結ロープに連結具を介して少なくとも１以上の上方ロープを所望の間隔でスライド自在に連結した後、ウインチで側面ロープを調整移動しながらネット又はシート体を直線状に緊張した状態で吊り張りし、その後ウインチで上方ロープを調整移動しながら連結ロープへの取り付け位置を引っ張り方向に応じてスライド調整してネット又はシート体を空間部の形状に応じて吊り張り調整することを特徴とする。
【００１２】また、課題を解決するために、請求項２は、空間部に吊り張りするネット又はシート体の対向する方向に一端側を側壁に固定した側面ロープを前記ネット又はシート体の上方側に吊り張りし、前記側面ロープに連結具を介してスライド自在に少なくとも１以上の上方ロープを連結した後、ウインチで側面ロープを調整移動しながらネット又はシート体を直線状に吊り張りし、その後前記側面ロープに連結した上方ロープをウインチで調整移動しながら側面ロープに沿ってスライド調整してネット又はシート体を空間部の形状に応じて吊り張り調整することを特徴する。
【発明の作用効果】
【００１３】本発明のウインチを用いたネット又はシート体の吊り張り移動システムの作用効果について説明する。
【００１４】本発明の請求項１は、先ず、少なくとも一方側の側面ロープをウインチより引き出し、空間部に吊り張りするネット又はシート体の上部両端側にそれぞれ連結し、その後ウインチより引き出した上方ロープをネット又はシート体の上端側に連結する。
【００１５】次に、前記少なくともその一方側のロープをウインチで側面ロープを巻き取りすることで調整移動してネット又はシート体を空間部の上方側に直線状に吊り張りする。
【００１６】その後、前記少なくとも１以上の上方ロープをウインチで所望の方向に巻き取りすることでネット又はシート体を空間部の形状に沿って吊り張りする。
【００１７】この際、前記上方ロープのネット又はシート体への連結部に設けられた調整手段を介してスライド調整可能なので、空間部に沿って微調整しながら適切に引っ張ることができ、最適に吊り張りすることができる。
【００１８】このため、ウインチによる側面ロープと上方ロープをそれぞれ調整移動する煩雑な作業をすることなく巻き取りできる。
【００１９】しかも、上方ロープの取り付け位置を自在に微調整することができるので、空間部の形状に応じて上方ロープを連結し、最適にネット又はシート体を吊り張りできる。
【００２０】本発明の請求項２は、先ず、少なくとも一方が環のロープをウインチで調整移動して側面ロープを吊り張りし、その後ネット又はシート体の上端側に連結した少なくとも１以上の上方ロープをウインチで調整移動することで、ネット又はシート体を該側面ロープの下方側に吊り張りする。
【００２１】この際、上記上方ロープは、側面ロープにスライド移動すべく連結されているために、空間部に沿って最適な方向に上方ロープを引っ張り、スムーズにネット又はシート体を吊り張りすることができる。
【００２２】このように、本発明のウインチを用いたネット又はシート体の吊り張り移動システムは、ウインチで側面ロープ及び上方ロープを容易に調整移動してネット又はシート体を吊り張りすることができる。
【００２３】しかも、上方ロープを引っ張り方向に自在にスライド移動することができるので上方ロープの連結位置を微調整する必要がなく、引っ張り方向のみを設定するだけで、スムーズに引っ張り移動することができる。
【発明を実施するための最良の形態】
【００２４】以下、本発明のウインチを用いたネット又はシート体の吊り張り移動システムの一実施例について図面を用いて説明する。【００２５】図１は本発明のウインチを用いたネット又はシート体の吊り張り移動システムの第１実施例を示す概略説明平面図であり、図２は図１の側面ロープの調整移動を示す概略説明平面図であり、図３は図１の上方ロープの調整移動を示す概略説明平面図であり、図４は本発明のウインチを用いたネット又はシート体の吊り張り移動システムの第２の実施例を示す概略説明平面図であり、図５は本発明のウインチを用いたネット又はシート体の吊り張り移動システムの第３の実施例を示す概略説明平面図であり、図６は本発明のウインチを用いたネット又はシート体の吊り張り移動システムの第４の実施例を示す概略説明平面図であり、図７は本発明のウインチを用いたネット又はシート体の吊り張り移動システムの第５の実施例を示す概略説明平面図であり、図８は本発明のウインチを用いたネット又はシート体の吊り張り移動システムの第６の実施例を示す概略説明平面図であり、図９は図１の第１実施例を示す概略説明上面図であり、図１０は本発明のウインチを用いたネット又はシート体の吊り張り移動システムを示すフローチャートである。【００２６】（第１実施例）
本発明のウインチを用いたネット又はシート体の吊り張り移動システムに使用する装置は空間部Ａに吊り張りする大面積を有するネット体２（又はシート体）と、該ネット体２の両上端側に設けられた一対の側面ロープ３（３Ａ，３Ｂ）と、一方の側面ロープ３Ｂを調整移動（巻取／引出移動）する側面用のウインチ４Ａ（通常ロープの巻取方式のウインチを使用するが、エンドレス方式のウインチとロープ巻き取りリールとの組み合わせも可能である）と、ネット体２の上端側に取り付けられた連結ロープ５に所望の間隔で連結具６を介して取り付けられた２本の上方ロープ７と、該上方ロープ７調整移動する上方用のウインチ４Ｂから構成されている。【００２７】上記側面ロープ３と連結ロープ５とは、ネット体２の端部で連結され、該連結部分を離反することでネット体２を取り外してメンテナンスを行うことができる。【００２８】また、上記連結具６は、所望の間隔で連結ロープ５に沿ってスライド移動でき空間部Ａの形状に応じ決定される引っ張り方向に応じて上方ロープ７の連結位置を調整し最適な位置でネット体２を広げることができる。【００２９】尚、上記上方ロープ７の取り付け本数及び引っ張り方向は、吊り張りするネット体２の大きさ及び空間部の形状に応じて設定することができる。【００３０】次に、上記ウインチを用いたネット又はシート体の吊り張り移動システムを円弧状の空間部に設置し防球用として使用する場合について説明する。【００３１】先ず、空間部の一方の側壁にロープ３Ａの一端側を固定連結し、他端側をネット体２の上端側面を連結し、また他方の側面ロープ３Ｂを対向する他方の側壁に取り付けられた側面用のウインチ４Ａより調整移動（引き出し移動）し、その先端側をネット体２の上端側面に連結する。【００３２】上記側面ロープ３のネット体２への連結は、ネット体２の上端に連結された連結ロープ５に連結するために容易に連結できる。【００３３】その後、空間部の天井側に設置された上方用のウインチ４Ｂより上方ロープ７を調整移動（引き出し移動）し、その先端側をネット体２の上端の連結ロープ５に所望の間隔で連結具６を介して連結する。尚、上方ロープ７は滑車を介してネット体２の引っ張り方向に架け渡す。【００３４】次に、上記側面用のウインチ４Ａを駆動し、側面ロープ３Ｂを調整移動（巻き取り移動）することで、側面ロープ３Ａ、３Ｂでネット体２を空間部に直線状に吊り張りする。【００３５】その後、上方用のウインチ４Ｂを駆動し、２本の上方ロープ７を調整移動（巻き取り移動）することで、ネット体２を空間部の形状に沿って引っ張り移動する。【００３６】この際、上方ロープ７はスライド移動する連結具６を介して連結しているために上方ロープ７の引っ張り方向に応じてスライド移動しながら移動するために、ウインチ４Ｂによる調整移動を従来のように微調整することなく容易に引っ張り移動できる。【００３７】従って、側面ロープ３の調整移動と上方ロープ７の調整移動とにより、容易に空間部の形状に応じてネット体２を吊り張りすることができる。【００３８】また、上記ネット体２を野球のバックネットとして使用する場合は、上記上方ロープ７を調整移動した後、ネット体２の下端側を固定のフェンスに連結することで、観客席の前面に防球用のネット体２として使用することができる。【００３９】（第２実施例）
本発明の第２実施例は上記第１実施例の側面ロープ３Ａ、３Ｂをそれぞれ側面用のウインチ４Ａで調整移動するように構成することで、側面ロープ３Ａ、３Ｂをそれぞれ調整移動してよりスムーズなネット体２の吊り張りを行うことができる。【００４０】また、側面ロープ３Ａ、３Ｂの調整移動により、ネット体２の吊り張り位置を微調整できる。【００４１】（第３実施例）
本発明の第３実施例のウインチを用いたネット又はシート体の吊り張り移動システムは、一端側を側壁に固定し、側面用のウインチ３Ａで調整移動する側面ロープ３と、該側面ロープ３に連結し、先端側をネット体２の上端部に連結した複数本の上方ロープ７と、側面ロープ３の下方側で上方ロープ７に連結したネット体２とから構成されている。【００４２】上記上方ロープ７は連結具６を介してスライド自在に側面ロープ７に連結され、上方ロープ７の引っ張り方向に応じて最適な位置にスライド移動する。【００４３】また、ネット体２の両側面側は別体の吊り張りロープ８がネット体２と側面ロープ３間に取り付けられている。【００４４】次に、上記構成のウインチを用いたネット又はシート体の吊り張り移動システムを空間部に吊り張りする場合について説明する。【００４５】先ず、側面用のウインチ４Ａを駆動して側面ロープ３を調整移動（引き出し移動）し、その先端を側壁に固定し、その後、上方用のウインチ４Ｂを駆動し上方ロープ７を調整移動（引き出し移動）し側面ロープ３に連結具６を介して連結するとともに、先端側をネット体２の上端部に連結する。【００４６】次に、側面用のウインチ４Ａを駆動して側面ロープ３を調整移動（巻き取り移動）するとともに、上方用のウインチ４Ｂを駆動して上方ロープ７を調整移動（巻き取り移動）する。【００４７】上記側面ロープ３を調整移動してネット体２を直線状に吊り張りした後、上方ロープ７を調整移動してネット体２を所望の方向に引っ張り移動して吊り張りする。【００４８】この際、上方ロープ７は連結具６を介して側面ロープ３に沿ってスライド移動するので適切な位置に移動し、最適な方向にネット体２を吊り張りすることができる。【００４９】このように、本発明のウインチを用いたネット又はシート体の吊り張り移動システムは、従来のような職人の勘や経験を必要とすることなくスムーズにネット体２を吊り張りできる。【００５０】（第４実施例）
本発明の第４実施例のウインチを用いたネット又はシート体の吊り張り移動システムは、第３実施例のネット体２の両側面側も上方ロープ７に連結することで、ネット体２の側面を適切に広げながら吊り張りすることができる。【００５１】特に、ネット体２の両側面上端部に連結した上方ロープ７は側面ロープ３に沿ってスライド移動し、スムーズなネット体２の吊り張りを可能とする。【００５２】（第５実施例）
本発明の第５実施例のウインチを用いたネット又はシート体の吊り張り移動システムは、狭い空間部にネット体２を吊り張りする場合に使用し、側面ロープ３を水平に吊り張りし、ネット体２の両側面側に上方ロープ７を連結し、該上方ロープ７のネット体２への連結部は、該側面ロープ３に沿ってスライド自在な連結具６を介して連結した構成で、側面ロープ３を調整移動した後、上方ロープ７を調整移動することで該上方ロープ７の連結位置をスライド調整し最適な位置でネット体２を吊り張りできる。【００５３】（第６実施例）
本発明の第６実施例のウインチを用いたネット又はシート体の吊り張り移動システムは、空間部に水平に架け渡した側面ロープ３と、該側面ロープ３にスライド移動すべく連結し、その先端側をネット体２の上端部に連結した上方ロープ７とから構成され、上方ロープ７を調整移動すると側面ロープ３部分で連結位置をスライド調整して適切な方向にネット体２を吊り張りできる。
【図面の簡単な説明】
【００５４】
【図１】本発明のウインチを用いたネット又はシート体の吊り張り移動システムの第１の実施例を示す概略説明平面図
【図２】図１の側面ロープを調整移動する場合を示す概略説明平面図
【図３】図１の上方ロープを調整移動する場合を示す概略説明平面図
【図４】本発明のウインチを用いたネット又はシート体の吊り張り移動システムの第２の実施例を示す概略説明平面図
【図５】本発明のウインチを用いたネット又はシート体の吊り張り移動システムの第３の実施例を示す概略説明平面図
【図６】本発明のウインチを用いたネット又はシート体の吊り張り移動システムの第４の実施例を示す概略説明平面図
【図７】本発明のウインチを用いたネット又はシート体の吊り張り移動システムの第５の実施例を示す概略説明平面図
【図８】本発明のウインチを用いたネット又はシート体の吊り張り移動システムの第６の実施例を示す概略説明平面図
【図９】本発明のウインチを用いたネット又はシート体の吊り張り移動システムの第１の実施例を示す概略説明上面図
【図１０】本発明のウインチを用いたネット又はシート体の吊り張り移動システムのフローチャート
【符号の説明】
【００５５】２−ネット体（シート体）、３−側面ロープ、４−ウインチ、７−上方ロープ
【図１】
0005660499.tif 000002
【図２】
0005660499.tif 000003
【図３】
0005660499.tif 000004
【図４】
0005660499.tif 000005
【図５】
0005660499.tif 000006
【図６】
0005660499.tif 000007
【図７】
0005660499.tif 000008
【図８】
0005660499.tif 000009
【図９】
0005660499.tif 000010
【図１０】
0005660499.tif 000011